(57)【要約】【課題】  室内風速や室内風向が変更されても、オートチェンジオーバー制御モードによる運転開始時には予め設定された室内風速と室内風向で運転を開始する空気調和機を提供する。【解決手段】  室温制御部４は、オートチェンジオーバー制御モードによる冷房運転及び暖房運転に対応してそれぞれ室内風速及び室内風向が設定され、リモコン１１で運転モードとしてオートチェンジオーバー制御モードが選択されたときは、室温温度センサ６によって検出された室内温度に基づいて冷房運転か暖房運転かを判別し、この判別結果に基づいて室内風速及び室内風向を選択し、かつ、選択した室内風速及び室内風向となるように室内ユニット２のファンモータ７及びルーバーモータ９の制御を開始する。【選択図】        図１
2006207846.tif 000002
【特許請求の範囲】
【請求項１】
室内の温度を検出する温度センサと、
運転モードとしてオートチェンジオーバー制御モードが選択されたとき、前記温度センサによって検出された室内温度に基づいて冷房運転か暖房運転かを判別する運転判別手段と、
オートチェンジオーバー制御モードによる冷房運転及び暖房運転に対応してそれぞれ室内風速及び室内風向が設定され、前記運転判別手段の判別結果に基づいて室内風速及び室内風向を選択し、かつ、選択した室内風速及び室内風向となるように室内ユニットの制御を開始する制御手段と
を備えたことを特徴とする空気調和機。
【請求項２】
前記制御手段は、オートチェンジオーバー制御モードで運転しているときに、室内風速及び室内風向が変更、或いは何れか一方が変更されたときは、その変更内容を保持し、かつ、変更された内容に基づいて室内ユニットを制御し、オートチェンジオーバー制御モードが停止或いは電源がＯＦＦされたときは、保持した変更内容をクリアにすることを特徴とする請求項１記載の空気調和機。
【請求項３】
前記運転判別手段の判別結果に基づく室内風速の選択は、任意に設定された温度と前記温度センサによって検出された室内温度との差に基づいて行うことを特徴とする請求項２記載の空気調和機。
【発明の詳細な説明】
【技術分野】
【０００１】
本発明は，室内の温度に基づいて自動的に冷房運転或いは暖房運転に切り替えるオートチェンジオーバー制御モードを有する空気調和機に関するものである。
【背景技術】
【０００２】
従来の空気調和機は、オートチェンジオーバー制御モードで冷房運転或いは暖房運転中に、室内風速及び室内風向が変更、或いは何れか一方が変更された場合、その変更内容はメモリに記憶され、次回のオートチェンジオーバー制御モードの運転開始時には、そのメモリに記憶されている室内風速や室内風向の変更内容に基づいて運転が行われていた（例えば、特許文献１参照）。
【特許文献１】特開平１０−１２２６３５号公報（第２及び第３頁）
【発明の開示】
【発明が解決しようとする課題】
【０００３】
前述した従来の空気調和機では、例えば、オートチェンジオーバー制御モードの選択で冷房運転が行われているとき、ユーザーが好みに合わせて風向を上向きに変更し、その変更したままで運転を停止したときは、その状態がメモリに記憶される。このため、他のユーザによって再びオートチェンジオーバー制御モードが選択された場合には、メモリに記憶されている上向きの風向で冷房が行われ、室内が蒸し暑いときは冷却されるまで時間がかかり、空気調和機による室温の制御が損なわれていた。特に、ビル内の会議室のように不特定多数のユーザーが空気調和機を操作するような環境においては、前述したように、前回使用したユーザーの設定が次に使用するユーザーにとっては有効でない場合があった。
【０００４】
本発明は、前記のような課題を解決するためになされたもので、室内風速や室内風向が変更されても、オートチェンジオーバー制御モードによる運転開始時には予め設定された室内風速と室内風向で運転を開始する空気調和機を提供することを目的とする。
【課題を解決するための手段】
【０００５】
本発明に係る空気調和機は、室内の温度を検出する温度センサと、運転モードとしてオートチェンジオーバー制御モードが選択されたとき、温度センサによって検出された室内温度に基づいて冷房運転か暖房運転かを判別する運転判別手段と、オートチェンジオーバー制御モードによる冷房運転及び暖房運転に対応してそれぞれ室内風速及び室内風向が設定され、運転判別手段の判別結果に基づいて室内風速及び室内風向を選択し、かつ、選択した室内風速及び室内風向となるように室内ユニットの制御を開始する制御手段とを備えたものである。
【発明の効果】
【０００６】
本発明においては、運転モードとしてオートチェンジオーバー制御モードが選択されたとき、温度センサによって検出された室内温度に基づいて冷房運転か暖房運転かを判別し、その判別結果に基づいて室内風速及び室内風向を選択し、かつ、選択した室内風速及び室内風向となるように室内ユニットの制御を開始するようにしたので、オートチェンジオーバー制御モード開始時における室温の制御を損なうことなく一律に行えるという効果がある。
【発明を実施するための最良の形態】
【０００７】
図１は本発明の実施の形態を示す空気調和機の概略ブロック構成図、図２は実施の形態における空気調和機の室内ユニットを示す概略断面図、図３は実施の形態における空気調和機の冷凍サイクル図である。
【０００８】
本実施の形態の空気調和機１は、リモコン１１を有し、室内に設けられた室内ユニット２と、室外に設置された室外ユニット３とで構成されている。室内ユニット２には交流電源５が接続され、室外ユニット３には室内ユニット２からの渡り配線を介して交流電源５と接続されている。リモコン１１は、冷房運転、暖房運転、オートチェンジオーバー制御モード等を選択するための各種キー、室内温度や室内風速等を設定するためのキーを有し、また、各キーの選択操作に応じて信号（運転指令等）を生成し室内制御部４に送信する機能を備えている。
【０００９】
室内ユニット２は、室内制御部４と、室内の温度を検出する室内温度センサ６と、室内ファン１２（図２参照）を回転させるファンモータ７と、このファンモータ７の回転速度を駆動制御する速度制御回路８と、室内ファン１２から送風される風の吹き出し口１８に回動可能に設置されたルーバー１９の角度を可変するルーバーモータ９と、ルーバーモータ９を駆動するルーバー駆動回路１０とを備えている。また、室内ユニット２には、図２に示すように室内熱交換器１６が設けられている。
【００１０】
室外ユニット３は、室内制御部４と信号の授受を行い本ユニット３を制御する室外制御部（図示せず）と、図３に示すように、圧縮機１３と、室外熱交換器１４と、膨張弁１５と、運転モード（冷房、暖房等）に応じて冷媒の流路を切り替える四方切替弁１７とが設けられている。冷房運転時の冷媒は、圧縮機１３→四方切替弁１７（点線部分）→室外熱交換器１４→膨張弁１５→室内熱交換器１６→四方切替弁１７（点線部分）→圧縮機１３の経路を順に循環し、暖房運転時の冷媒は、圧縮機１３→四方切替弁１７（実線部分）→室内熱交換器１６→膨張弁１５→室外熱交換器１４→四方切替弁１７（実線部分）→圧縮機１３の経路を順に循環する。
【００１１】
室内ユニット２に設けられた室内制御部４は、リモコン１１の選択操作が暖房のとき、その情報を室外ユニット３の室外制御部（図示せず）に通知すると共に、暖房運転に入り、また、冷房が選択操作されたときは、その運転情報を室外制御部に通知すると共に、冷房運転に入る。運転中に室内温度が設定されたときは、室内が設定温度になるように速度制御回路８を通じてファンモータ７を制御し、室内風向（上下、左右）が設定されたときは、室内ユニット２の吹き出し口１８からの風（温風又は冷風）がその設定風向となるようにルーバー駆動回路１０を通じてルーバーモータ９を制御する。
【００１２】
また、リモコン１１の選択操作がオートチェンジオーバー制御モードのときは、その情報を室外制御部に通知し、室内温度センサ６によって検出された室内温度を読み込んで予め設定された閾値と比較し、冷房運転か暖房運転かを判別する。室内温度が閾値以上のときは冷房運転と判断して、オートチェンジオーバー制御モード時の冷房運転に対応して設定された室内風速及び室内風向を選択し、かつ、選択した室内風速及び室内風向となるように速度制御回路８とルーバー駆動回路１０の制御を開始する。また、室内温度が閾値以下のときは暖房運転と判断して、オートチェンジオーバー制御モード時の暖房運転に対応して設定された室内風速及び室内風向を選択し、かつ、選択した室内風速及び室内風向となるように速度制御回路８及びルーバー駆動回路１０の制御を開始する。なお、オートチェンジオーバー制御モードによる冷房運転、暖房運転の何れかを判別した場合、その旨を室外制御部に通知するようになっている。
【００１３】
また、室内制御部４は、オートチェンジオーバー制御モードで運転しているときに、室内風速及び室内風向が変更、或いは何れか一方が変更されたときは、その変更内容を保持し、かつ、変更された内容に基づいて速度制御回路８及びルーバー駆動回路１０を制御し、オートチェンジオーバー制御モードが停止或いは電源がＯＦＦされたときは、保持した変更内容をクリアにする。前記の室内風速の変更は、リモコン１１で室内温度が設定されたときで、その室内温度と室内温度センサ６の検出温度との差に基づいて行う。
【００１４】
次に、オートチェンジオーバー制御モードが選択されたときの空気調和機の動作を図４に示す概略フローチャートに基づいて説明する。図４は実施の形態における空気調和機のオートチェンジオーバー制御モード時の動作を示す概略フローチャートである。
室内制御部４は、交流電源５の投入を検知した後に（Ｓ１）、リモコン１１の選択操作による運転開始の信号、及び運転モードの選択信号が受信されると（Ｓ２）、まず、運転を開始すると共に、その情報を室外ユニット３の室外制御部（図示せず）に通知し、選択信号からオートチェンジオーバー制御モード（ＡＣＯモード）かどうかを判定する（Ｓ３）。選択信号から通常の運転モード（冷房、暖房等）と判断したときは、その旨を室外制御部に通知すると共に、判断した運転モードを実行する。
【００１５】
また、受信された選択信号からオートチェンジオーバー制御モードと判断したときは、その情報を室外制御部に通知し、室温温度センサ６によって検出された室内温度を読み込んで予め設定された閾値と比較し、冷房運転か暖房運転かを判別する（Ｓ４）。室内温度が閾値以上のときは冷房運転と判断して、その情報を前記と同様に室外制御部に通知し、オートチェンジオーバー制御モード時の冷房運転に対応して設定された室内風速及び室内風向を選択し、かつ、選択した室内風速及び室内風向となるように速度制御回路８とルーバー駆動回路１０の制御を開始する（Ｓ５）。
【００１６】
オートチェンジオーバー制御モードで冷房運転中に、リモコン１１によって室内風速及び室内風向が変更、或いは何れか一方が変更されたときは、室内制御部４は、その変更内容を保持し、かつ、変更された内容に基づいて速度制御回路８やルーバー駆動回路１０を制御する（Ｓ７）。室内風速の変更については、リモコン１１で設定された設定温度に基づくもので、その設定温度と室内温度センサ６の検出温度との差に基づいて行う。温度差が大きいときは、検出温度（室内温度）が設定温度になるように、速度制御回路８を通じてファンモータ７の回転速度を速くし、温度差が小さいときは、そのファンモータ７の回転速度を遅くして、室内が設定温度になるようにする。
【００１７】
室内風速、室内風向の変更後、或いはそれらの変更がなかったときは、Ｓ９において、運転モード変更の信号が受信されたかどうかを判定する。運転モード変更の信号を検知したときはＳ３に戻って、その運転モードの実行に入るが、運転モード変更の信号が受信されていないときは、運転停止の信号が受信されたかどうかを判定し（Ｓ１１）、運転停止でないときは電源がＯＦＦされたかどうかを判定する（Ｓ１３）。電源がＯＦＦされていないときはＳ７に戻って室内風速、室内風向の変更を確認する。また、運転停止の信号が受信されたときは、オートチェンジオーバー制御モードでの冷房運転終了と判断して変更内容（室内風速、室内風向）を保持しているときのみそれをクリアにし（Ｓ１１ａ）、Ｓ２に戻ってリモコン１１からの信号が受信されるまで待機する。また、電源がＯＦＦされたときは、前記と同様に変更内容を保持しているときのみそれをクリアにし（Ｓ１３ａ）、Ｓ１に戻って冷房運転の動作を終了する。
【００１８】
また、室内制御部４は、Ｓ４において、室内温度センサ６の検出温度と閾値との比較結果（検出温度≦閾値）から暖房運転と判断した場合、オートチェンジオーバー制御モード時の暖房運転に対応して設定された室内風速及び室内風向を選択し、かつ、選択した室内風速及び室内風向となるように速度制御回路８及びルーバー駆動回路１０の制御を開始する（Ｓ６）。
【００１９】
オートチェンジオーバー制御モードで暖房運転中に、前記と同様に、リモコン１１によって室内風速及び室内風向が変更、或いは何れか一方が変更されたときは、室内制御部２は、その変更内容を保持し、かつ、変更された内容に基づいて速度制御回路８やルーバー駆動回路１０を制御する（Ｓ８）。室内風速、室内風向の変更後、或いはそれらの変更がなかったときは、運転モード変更の信号が受信されたかどうかを判定し（Ｓ１０）、その信号が受信されなかったときは運転停止の信号が受信されたかどうかを判定し（Ｓ１２）、運転停止でないときは電源がＯＦＦされたかどうかを判定する（Ｓ１４）。
【００２０】
運転モード変更の信号を検知したときはＳ３に戻って、その運転モードの実行に入り、運転停止の信号を受信したときは、オートチェンジオーバー制御モードでの暖房運転終了と判断して変更内容（室内風速、室内風向）を保持しているときのみそれをクリアにし（Ｓ１２ａ）、Ｓ２に戻ってリモコン１１からの信号が受信されるまで待機する。また、電源がＯＦＦされていないときはＳ８に戻って室内風速、室内風向の変更を確認し、電源がＯＦＦされたときは、前記と同様に変更内容を保持しているときのみそれをクリアにし（Ｓ１４ａ）、Ｓ１に戻って暖房運転の動作を終了する。
【００２１】
以上のように実施の形態によれば、オートチェンジオーバー制御モードで冷房又は暖房運転が開始されるとき、常に、予め設定されている室内風速と室内風向となるようにしているので，オートチェンジオーバー制御モード開始時における室温の制御を損なうことなく一律に行えるという効果がある。特に、ビル内の会議室のように不特定多数のユーザーが空気調和機１を操作するような環境においては有効的である。
【図面の簡単な説明】
【００２２】
【図１】本発明の実施の形態を示す空気調和機の概略ブロック構成図である。
【図２】実施の形態における空気調和機の室内ユニットを示す概略断面図である。
【図３】実施の形態における空気調和機の冷凍サイクル図である。
【図４】実施の形態における空気調和機のオートチェンジオーバー制御モード時の動作を示す概略フローチャートである。
【符号の説明】
【００２３】
１  空気調和機、２  室内ユニット、３  室外ユニット、４  室内制御部、５  交流電源、６  室内温度センサ、７  ファンモータ、８  速度制御回路、９  ルーバーモータ、１０  ルーバー駆動回路、１１  リモコン、１２  室内ファン、１３  圧縮機、１４  室外熱交換器、１５  膨張弁、１６  室内熱交換器、１７  四方切替弁、１８  吹出し口、１９  ルーバー。
【図１】
2006207846.tif 000003
【図２】
2006207846.tif 000004
【図３】
2006207846.tif 000005
【図４】
2006207846.tif 000006